(57)【要約】【課題】フレームリレー端末からフレームリレーネットワークに対してＤＬＣＩの使用規制を要求することが可能なＤＬＣＩ使用規制方式を提供する。【解決手段】フレームリレー端末とフレームリレーネットワークの間にＤＬＣＩ使用規制通知フレームを定義し、フレームリレー端末が特定のＤＬＣＩの使用を規制するときにはこのＤＬＣＩ使用規制通知フレームをフレームリレーネットワークに送信し、フレームリレーネットワークは該当のＤＬＣＩを使って通信を行っている他方のフレームリレー端末からＤＬＣＩ状態問合せを受信したときにＤＬＣＩ状態応答のＤＬＣＩ状態をＩｎＡｃｔｉｖｅと通知することによりＤＬＣＩの使用を規制する。【選択図】  図１
2004208121.tif 000002
【特許請求の範囲】
【請求項１】
フレームリレー端末が接続されるフレームリレーネットワークにおいて、
前記フレームリレー端末は、特定ＤＬＣＩの使用規制を要求するＤＬＣＩ規制通知フレームを前記ネットワークに送信する手段を有し、
前記フレームリレーネットワークは、前記ＤＬＣＩ規制通知フレームで指定された特定ＤＬＣＩを規制中ＤＬＣＩとして登録するＤＬＣＩ規制状態テーブルと、ＤＬＣＩの状態を登録するＤＬＣＩ状態テーブルと、フレームリレー端末からＤＬＣＩ状態問合せフレームを受信した時に前記ＤＬＣＩ状態テーブルおよび前記ＤＬＣＩ規制状態テーブルを参照してＤＬＣＩ状態を通知するＤＬＣＩ状態応答フレームをフレームリレー端末に送信する手段とを有することを特徴とするＤＬＣＩ使用規制方式。
【請求項２】
前記フレームリレーネットワークは、前記ＤＬＣＩ規制通知フレームの受信から一定時間後にＤＬＣＩの規制を解除することを特徴とする請求項１記載のＤＬＣＩ使用規制方式。
【発明の詳細な説明】
【０００１】
【発明の属する技術分野】
本発明は、フレームリレーのＤＬＣＩ使用規制方式に関し、特にフレームリレー端末によるＤＬＣＩ使用規制方式に関する。
【０００２】
【従来の技術】
従来のフレームリレーにおけるＤＬＣＩ使用規制方式は、フレームリレーネットワークが行っている。ネットワークの障害等でＤＬＣＩの使用を規制する場合、フレームリレーネットワークは、フレームリレー端末からのＤＬＣＩ状態問合せフレーム（ＳＴＡＴＵＳ  ＥＮＱ）に対する応答フレーム（ＳＴＡＴＵＳ）の、該当ＤＬＣＩ状態をＩｎＡｃｔｉｖｅに設定して送信する。フレームリレーネットワークからこの応答を受信することでフレームリレー端末は該当のＤＬＣＩが使用できない状態であることを認識する。
【０００３】
また、従来のこの種のＤＬＣＩ使用規制方式として、フレームリレー端末間の通信において、自フレームリレー装置が輻輳の時に通信相手のフレームリレー装置に輻輳を通知するフレームを送信することにより通信を規制しているものがある。（例えば、特許文献１参照）。
【０００４】
【特許文献１】
特開平０９−０９３２８４号公報
【０００５】
【発明が解決しようとする課題】
上述した従来のＤＬＣＩ使用規制方式では、フレームリレーのＤＬＣＩ状態はフレームリレーネットワークが管理し、フレームリレー端末はフレームリレーネットワークからＤＬＣＩ状態の通知を受けることしかできず、ＤＬＣＩの使用規制をフレームリレーネットワークに対して要求するインタフェースを持たないため、フレームリレー端末からＤＬＣＩの使用規制を行えないという問題点があった。
【０００６】
本発明は上記問題に鑑みてなされたものであって、本発明は、フレームリレー端末からフレームリレーネットワークに対してＤＬＣＩの使用規制を要求することが可能なＤＬＣＩ使用規制方式を提供することを目的とする。
【０００７】
【課題を解決するための手段】
請求項１記載の発明は、フレームリレー端末が接続されるフレームリレーネットワークにおいて、前記フレームリレー端末は、特定ＤＬＣＩの使用規制を要求するＤＬＣＩ規制通知フレームを前記ネットワークに送信する手段を有し、前記フレームリレーネットワークは、前記ＤＬＣＩ規制通知フレームで指定された特定ＤＬＣＩを規制中ＤＬＣＩとして登録するＤＬＣＩ規制状態テーブルと、ＤＬＣＩの状態を登録するＤＬＣＩ状態テーブルと、フレームリレー端末からＤＬＣＩ状態問合せフレームを受信した時に前記ＤＬＣＩ状態テーブルおよび前記ＤＬＣＩ規制状態テーブルを参照してＤＬＣＩ状態を通知するＤＬＣＩ状態応答フレームをフレームリレー端末に送信する手段とを有することを特徴とする。
【０００８】
請求項２記載の発明は、前記フレームリレーネットワークは、前記ＤＬＣＩ規制通知フレームの受信から一定時間後にＤＬＣＩの規制を解除することを特徴とする。
【０００９】
【発明の実施の形態】
次に、本発明の実施形態について図面を参照して詳細に説明する。図１は、本発明の実施形態の構成を示すブロック図である。図１を参照すると、本実施形態では、フレームリレー端末１において、ＤＬＣＩ規制通知フレーム送信処理２を含んでいる。
【００１０】
フレームリレー端末１を収容するフレームリレーネットワーク５は、フレームを受信し解析するフレーム受信処理３Ａ、３Ｂと、ＤＬＣＩ規制通知フレームを受信したときにフレーム内から指定されたＤＬＣＩをとりだしＤＬＣＩ規制状態テーブル１１に書き込むＤＬＣＩ規制通知受信処理４と、ＤＬＣＩの規制状態を記録しておくＤＬＣＩ規制状態テーブル１１と、ＤＬＣＩの規制状態テーブル上の規制状態を一定時間ごとに解除するためのタイマー処理８と、ＤＬＣＩのＡｃｔｉｖｅ/ＩｎＡｃｔｉｖｅ状態を記録しておくＤＬＣＩ状態テーブル１０と、フレームリレー端末より受信したＤＬＣＩ状態問合せフレームを解析し実行するＤＬＣＩ状態問合せ受信処理６と、ＤＬＣＩ状態問合せフレームに対するＤＬＣＩ状態応答フレームを送信するＤＬＣＩ状態応答送信処理９とを含む。
【００１１】
次に、本実施形態の動作について図１を参照して詳細に説明する。フレームリレー端末１がある特定のＤＬＣＩの使用を規制する場合、フレームリレー端末１は、ＤＬＣＩ規制通知フレーム送信処理２を使用して、規制しようとするＤＬＣＩを指定したＤＬＣＩ規制通知フレームを作成し、フレームリレーネットワーク５に送信する。
【００１２】
フレームリレーネットワーク５は、フレーム受信処理３Ａでフレームを受信し、受信したフレームを解析し、ＤＬＣＩ規制通知フレームと判断してＤＬＣＩ規制通知受信処理４を起動する。
【００１３】
ＤＬＣＩ規制通知受信処理４は受信したＤＬＣＩ規制通知フレームから規制するＤＬＣＩ番号を取り出し、ＤＬＣＩ規制状態テーブル１１に該当のＤＬＣＩが規制中であることを記録する。
【００１４】
ある特定のＤＬＣＩを使用してフレームリレー端末１と通信を行うフレームリレー端末７は、ネットワーク５に対して周期的にＤＬＣＩ状態の問合せフレームを送信する。フレームリレー端末７よりＤＬＣＩ状態の問合せフレームを受信したフレームリレーネットワーク５は、フレーム受信処理３Ｂでフレームを受信し、受信したフレームを解析し、ＤＬＣＩ状態問合せフレームと判断してＤＬＣＩ状態問合せ受信処理６を起動する。ＤＬＣＩ状態問合せ受信処理６は、ＤＬＣＩ状態応答送信処理９を起動する。
【００１５】
ＤＬＣＩ状態応答送信処理９は、ＤＬＣＩ状態テーブル１０を参照し、さらにＤＬＣＩ規制状態１１を参照して通知するＤＬＣＩ状態を決定する。つまり、ＤＬＣＩの状態がＤＬＣＩ状態テーブル１０上ＩｎＡｃｔｉｖｅであればそのままＩｎＡｃｔｉｖｅを通知するが、ＤＬＣＩ状態テーブル１０上Ａｃｔｉｖｅであった場合にはさらにＤＬＣＩ規制状態テーブル１１を参照し、規制中でなければＡｃｔｉｖｅを通知し、規制中の場合はＩｎＡｃｔｉｖｅを通知する。
【００１６】
フレームリレー端末７は、受信したＤＬＣＩ状態応答フレームによりＤＬＣＩ状態を認識する。このとき、フレームリレー端末１がフレームリレー端末７との通信に使用するＤＬＣＩに対してＤＬＣＩ規制通知フレームを送信していれば該当のＤＬＣＩの状態はＩｎＡｃｔｉｖｅと通知される。ＤＬＣＩ状態がＩｎＡｃｔｉｖｅと通知されるので、フレームリレー端末７は該当のＤＬＣＩを使用できないと認識する。
【００１７】
このように、フレームリレー端末１がある特定のＤＬＣＩについてＤＬＣＩ使用規制通知フレームをフレームリレーネットワークに送信することにより、通信相手のフレームリレー端末７に該当の通信に使用するＤＬＣＩ状態がＩｎＡｃｔｉｖｅと通知され、該当のＤＬＣＩの使用が規制される。
【００１８】
なお、ＤＬＣＩの規制は一定時間経過により解除を行う。これは、タイマー処理８が行う。つまり、タイマー処理８はＤＬＣＩ規制通知フレームを受信し、ＤＬＣＩ規制状態テーブル１１上で規制と記録されたＤＬＣＩについて、一定時間経過後にその規制状態をクリアする。ＤＬＣＩ規制を継続させるためには、この解除時間より短い周期でＤＬＣＩ規制通知フレームを送信する必要がある。
【００１９】
図２は、ＤＬＣＩ使用規制フレーム構成を示すブロック図である。基本的な構成は一般的なフレームリレーと同様で、先頭にフラグパターンがあり、そのあとにアドレス部、情報部、ＦＣＳ部があり、最後にフラグパターンがある。情報部としては、その先頭には規制するＤＬＣＩの数があり、その数の規制するＤＬＣＩがそのあとに続けて示されている。
【００２０】
図３は、ＤＬＣＩ状態テーブルの構成を示すブロック図である。ＤＬＣＩ状態テーブルはポートのＤＬＣＩ状態を記録するテーブルで、ポートのＤＬＣＩ毎に該当のＤＬＣＩの通信相手の状態によってＡｃｔ、またはＩｎＡｃｔの状態が記録されている。
【００２１】
図４は、ＤＬＣＩ規制状態テーブルの構成を示すブロック図である。ＤＬＣＩ規制状態テーブルはポートのＤＬＣＩ規制状態を記録するテーブルで、ポートのＤＬＣＩ毎に該当のＤＬＣＩの通信相手からＤＬＣＩ規制フレームを受信した場合に、規制すべきＤＬＣＩと規制を解除する時刻を記録する。
【００２２】
図５は、ＤＬＣＩ状態問合せフレーム構成を示すブロック図である。ＤＬＣＩ状態問合せフレームには様々な標準があるが、ここではＩＴＵ−Ｔで規定されているものを示す。
【００２３】
図６は、ＤＬＣＩ状態応答フレームの構成を示すブロック図である。ＤＬＣＩ状態応答フレームには様々な標準があるが、ここではＩＴＵ−Ｔで規定されているものを示す。
【００２４】
図７は、ＤＬＣＩ規制通知受信時、およびタイムアウトにより規制を解除したときのフレームリレーネットワークとフレームリレー端末の動作をあらわすシーケンス図である。
【００２５】
図８は、本発明の実施形態のフレームリレーネットワークシステムの構成を示すブロック図である。図８で、フレームリレーネットワーク１３にフレームリレー端末１２、１４、１７が接続している。フレームリレー端末１２と１７はＰＶＣ１５により通信を行う。ここで、このＰＶＣ１５のフレームリレー端末１２側のＤＬＣＩを「ａ」、フレームリレー端末１７側のＤＬＣＩを「Ａ」とする。同様に、ＰＶＣ１６のフレームリレー端末１４側のＤＬＣＩを「ｂ」、フレームリレー端末１７側のＤＬＣＩを「Ｂ」とする。
【００２６】
フレームリレー端末１２とフレームリレーネットワーク１３の間でリンクが確立すると、フレームリレーネットワーク１３はフレームリレー端末１７の送信するＤＬＣＩ状態問合せに対するＤＬＣＩ状態応答により、ＤＬＣＩ「ａ」の状態がＡｃｔｉｖｅであると通知する。同様にフレームリレー端末１４とフレームリレーネットワーク１３の間でリンクが確立すると、フレームリレーネットワーク１３はフレームリレー端末１７の送信するＤＬＣＩ状態問合せに対するＤＬＣＩ状態応答により、ＤＬＣＩ「Ｂ」の状態をＡｃｔｉｖｅであると通知する。
【００２７】
フレームリレー端末１７とフレームリレーネットワーク１３の間でリンクが確立すると、通常、フレームリレーネットワークはフレームリレー端末１２とフレームリレー端末１４のＤＬＣＩ送信する状態問合せに対するＤＬＣＩ状態応答により、それぞれＤＬＣＩ「ａ」、およびＤＬＣＩ「ｂ」がＡｃｔｉｖｅであると通知する。ここで、フレームリレー端末１７がフレームリレーネットワーク１３に対してＤＬＣＩ「Ａ」の規制を通知したとする。
【００２８】
ＤＬＣＩ「Ａ」の規制通知を受信したフレームリレーネットワーク１３は、フレームリレー端末１７とＤＬＣＩ「Ａ」で通信をしているフレームリレー端末１２のＤＬＣＩ「ａ」の状態を規制中と判断する。これによりフレームリレー端末１２が送信するＤＬＣＩ状態問合せに対するＤＬＣＩ状態応答ではＤＬＣＩ「ａ」の状態はＩｎＡｃｔｉｖｅと通知される。こうして、フレームリレー端末１２のＤＬＣＩ「ａ」の使用が規制される。
【００２９】
【発明の効果】
第１の効果は、フレームリレー端末からフレームリレーネットワークに対してＤＬＣＩの使用規制を要求することができることである。
【００３０】
その理由は、ＤＬＣＩ使用規制通知フレームを使用してフレームリレーネットワークにＤＬＣＩの使用規制を要求し、フレームリレーネットワークが該当のＤＬＣＩを使用して通信を行っている他方のフレームリレー端末に対して該当のＤＬＣＩをＩｎＡｃｔｉｖｅと通知することによって該当のＤＬＣＩの使用が規制されるためである。
【図面の簡単な説明】
【図１】本発明の実施形態の構成を示すブロック図である。
【図２】本実施形態のＤＬＣＩ使用規制フレーム構成を示すブロック図である。
【図３】本実施形態のＤＬＣＩ状態テーブルの構成を示すブロック図である。
【図４】本実施形態のＤＬＣＩ規制状態テーブルの構成を示すブロック図である。
【図５】本実施形態のＤＬＣＩ状態問合せフレームの構成を示すブロック図である。
【図６】本実施形態のＤＬＣＩ状態応答フレームの構成を示すブロック図である。
【図７】本実施形態のＤＬＣＩ使用規制動作の手順を示すシーケンス図である。
【図８】本発明の実施形態のフレームリレーネットワークシステムの構成を示すブロック図である。
【符号の説明】
１    フレームリレー端末
２    ＤＬＣＩ規制通知フレーム送信処理
３Ａ，３Ｂ    フレーム受信処理
４    ＤＬＣＩ規制通知受信処理
５    フレームリレーネットワーク
６    ＤＬＣＩ状態問合せ受信処理
７    フレームリレー端末
８    タイマー処理
９    ＤＬＣＩ状態応答送信処理
１０    ＤＬＣＩ状態テーブル
１１    ＤＬＣＩ規制状態テーブル
１２    フレームリレー端末
１３    フレームリレーネットワーク
１４    フレームリレー端末
１５，１６    ＰＶＣ
１７    フレームリレー端末
【図１】
2004208121.tif 000003
【図２】
2004208121.tif 000004
【図３】
2004208121.tif 000005
【図４】
2004208121.tif 000006
【図５】
2004208121.tif 000007
【図６】
2004208121.tif 000008
【図７】
2004208121.tif 000009
【図８】
2004208121.tif 000010